【手続補正書】
【提出日】平成24年8月8日(2012.8.8)
【手続補正１】
【補正対象書類名】明細書
【補正対象項目名】０００６
【補正方法】変更
【補正の内容】
【０００６】
上記課題を解決するため、請求項１に記載の発明の画像処理装置は、
背景と被写体とが存在する被写体存在画像を取得する取得手段と、前記被写体存在画像内で複数の画像領域を特定する第１の特定手段と、前記複数の画像領域の各画像領域の代表色と所定色とを比較する比較手段と、この比較手段による比較結果に基づいて、抽出用背景色を生成する生成手段と、前記抽出用背景色に基づいて、前記被写体存在画像内で被写体を構成する被写体構成領域及び背景を構成する背景構成領域をそれぞれ特定する第２の特定手段と、を備えたことを特徴としている。
【手続補正２】
【補正対象書類名】明細書
【補正対象項目名】０００７
【補正方法】変更
【補正の内容】
【０００７】
請求項２に記載の発明は、請求項１に記載の画像処理装置において、
前記被写体存在画像を複数の画像領域に分割する分割手段を更に備え、前記第１の特定手段は、前記分割手段により分割された複数の画像領域を特定することを特徴としている。
【手続補正３】
【補正対象書類名】明細書
【補正対象項目名】０００８
【補正方法】変更
【補正の内容】
【０００８】
請求項３に記載の発明は、請求項１又は２に記載の画像処理装置において、
前記被写体存在画像の背景の色を推定する推定手段を更に備え、前記比較手段は、前記推定された背景の色を前記所定色として、前記第１の特定手段により特定された各画像領域の代表色との類似度を算出することを特徴としている。
【手続補正４】
【補正対象書類名】明細書
【補正対象項目名】０００９
【補正方法】変更
【補正の内容】
【０００９】
請求項４に記載の発明は、請求項３に記載の画像処理装置において、
前記推定手段は、更に、前記被写体存在画像の複数の領域の各々について、他の領域の代表色との類似度が所定の判定値以上であるか否かを判定し、前記所定の判定値以上であると判定された回数が他の全ての領域の中で最も多い領域の代表色を前記背景の色として推定することを特徴としている。
【手続補正５】
【補正対象書類名】明細書
【補正対象項目名】００１０
【補正方法】変更
【補正の内容】
【００１０】
請求項５に記載の発明は、請求項４に記載の画像処理装置において、
前記第２の特定手段は、更に、前記推定手段により他の領域の色との類似度が所定の判定値以上であると判定された回数が最も多い領域を含むエリアを、前記背景構成領域として特定することを特徴としている。
【手続補正６】
【補正対象書類名】明細書
【補正対象項目名】００１１
【補正方法】変更
【補正の内容】
【００１１】
請求項６に記載の発明は、請求項４又は５に記載の画像処理装置において、
前記推定手段は、更に、前記複数の領域の色のばらつき量を算出し、色のばらつき量が所定値以下である領域の各々について処理を行うことを特徴としている。
【手続補正７】
【補正対象書類名】明細書
【補正対象項目名】００１２
【補正方法】変更
【補正の内容】
【００１２】
請求項７に記載の発明は、請求項３〜６の何れか一項に記載の画像処理装置において、
前記比較手段によって算出された各画像領域に係る類似度が所定の判定値よりも大きいか否かを判定する判定手段を更に備え、前記生成手段は、前記判定手段により画像領域の類似度が所定の判定値よりも大きいと判定されると、当該画像領域に対応する領域については当該画像領域の代表色に基づいて前記抽出用背景色を生成し、一方、前記判定手段により画像領域の類似度が所定の判定値以下であると判定されると、当該画像領域に対応する領域については前記推定手段により推定された前記背景の色に基づいて前記抽出用背景色を生成することを特徴としている。
【手続補正８】
【補正対象書類名】明細書
【補正対象項目名】００１４
【補正方法】変更
【補正の内容】
【００１４】
請求項９に記載の発明の画像処理方法は、
画像処理装置を用いた画像処理方法であって、背景と被写体とが存在する被写体存在画像を取得する処理と、前記被写体存在画像内で複数の画像領域を特定する処理と、前記複数の画像領域の各画像領域の代表色と所定色とを比較する処理と、この比較する処理による比較結果に基づいて、抽出用背景色を生成する処理と、前記抽出用背景色に基づいて、前記被写体存在画像内で被写体を構成する被写体構成領域及び背景を構成する背景構成領域をそれぞれ特定する処理と、を含むことを特徴としている。
【手続補正９】
【補正対象書類名】明細書
【補正対象項目名】００１５
【補正方法】変更
【補正の内容】
【００１５】
請求項１０に記載の発明のプログラムは、
画像処理装置のコンピュータを、背景と被写体とが存在する被写体存在画像を取得する取得手段、前記被写体存在画像内で複数の画像領域を特定する第１の特定手段、前記複数の画像領域の各画像領域の代表色と所定色とを比較する比較手段、この比較手段による比較結果に基づいて、抽出用背景色を生成する生成手段、前記抽出用背景色に基づいて、前記被写体存在画像内で被写体を構成する被写体構成領域及び背景を構成する背景構成領域をそれぞれ特定する第２の特定手段、として機能させることを特徴としている。
【手続補正１０】
【補正対象書類名】特許請求の範囲
【補正対象項目名】全文
【補正方法】変更
【補正の内容】
【特許請求の範囲】
【請求項１】
背景と被写体とが存在する被写体存在画像を取得する取得手段と、
前記被写体存在画像内で複数の画像領域を特定する第１の特定手段と、
前記複数の画像領域の各画像領域の代表色と所定色とを比較する比較手段と、
この比較手段による比較結果に基づいて、抽出用背景色を生成する生成手段と、
前記抽出用背景色に基づいて、前記被写体存在画像内で被写体を構成する被写体構成領域及び背景を構成する背景構成領域をそれぞれ特定する第２の特定手段と、
を備えたことを特徴とする画像処理装置。
【請求項２】
前記被写体存在画像を複数の画像領域に分割する分割手段を更に備え、
前記第１の特定手段は、
前記分割手段により分割された複数の画像領域を特定することを特徴とする請求項１に記載の画像処理装置。
【請求項３】
前記被写体存在画像の背景の色を推定する推定手段を更に備え、
前記比較手段は、
前記推定された背景の色を前記所定色として、前記第１の特定手段により特定された各画像領域の代表色との類似度を算出することを特徴とする請求項１又は２に記載の画像処理装置。
【請求項４】
前記推定手段は、更に、
前記被写体存在画像の複数の領域の各々について、他の領域の代表色との類似度が所定の判定値以上であるか否かを判定し、前記所定の判定値以上であると判定された回数が他の全ての領域の中で最も多い領域の代表色を前記背景の色として推定することを特徴とする請求項３に記載の画像処理装置。
【請求項５】
前記第２の特定手段は、更に、
前記推定手段により他の領域の色との類似度が所定の判定値以上であると判定された回数が最も多い領域を含むエリアを、前記背景構成領域として特定することを特徴とする請求項４に記載の画像処理装置。
【請求項６】
前記推定手段は、更に、
前記複数の領域の色のばらつき量を算出し、色のばらつき量が所定値以下である領域の各々について処理を行うことを特徴とする請求項４又は５に記載の画像処理装置。
【請求項７】
前記比較手段によって算出された各画像領域に係る類似度が所定の判定値よりも大きいか否かを判定する判定手段を更に備え、
前記生成手段は、
前記判定手段により画像領域の類似度が所定の判定値よりも大きいと判定されると、当該画像領域に対応する領域については当該画像領域の代表色に基づいて前記抽出用背景色を生成し、一方、前記判定手段により画像領域の類似度が所定の判定値以下であると判定されると、当該画像領域に対応する領域については前記推定手段により推定された前記背景の色に基づいて前記抽出用背景色を生成することを特徴とする請求項３〜６の何れか一項に記載の画像処理装置。
【請求項８】
前記第２の特定手段により特定された前記被写体構成領域及び前記背景構成領域に基づいて、前記被写体存在画像から被写体が含まれる領域を抽出する抽出手段を更に備えることを特徴とする請求項１〜７の何れか一項に記載の画像処理装置。
【請求項９】
画像処理装置を用いた画像処理方法であって、
背景と被写体とが存在する被写体存在画像を取得する処理と、
前記被写体存在画像内で複数の画像領域を特定する処理と、
前記複数の画像領域の各画像領域の代表色と所定色とを比較する処理と、
この比較する処理による比較結果に基づいて、抽出用背景色を生成する処理と、
前記抽出用背景色に基づいて、前記被写体存在画像内で被写体を構成する被写体構成領域及び背景を構成する背景構成領域をそれぞれ特定する処理と、
を含むことを特徴とする画像処理方法。
【請求項１０】
画像処理装置のコンピュータを、
背景と被写体とが存在する被写体存在画像を取得する取得手段、
前記被写体存在画像内で複数の画像領域を特定する第１の特定手段、
前記複数の画像領域の各画像領域の代表色と所定色とを比較する比較手段、
この比較手段による比較結果に基づいて、抽出用背景色を生成する生成手段、
前記抽出用背景色に基づいて、前記被写体存在画像内で被写体を構成する被写体構成領域及び背景を構成する背景構成領域をそれぞれ特定する第２の特定手段、
として機能させることを特徴とするプログラム。